(57)【要約】【課題】  半波整流回路あるいは放電灯の半波放電により直流カットコンデンサの電圧が上昇することを検出して放電灯への電源供給を制限する放電灯点灯装置において、電源供給の制限後に電源供給の制限を維持することが容易な放電灯点灯装置及びこのような放電灯点灯装置を備えた照明装置を提供する。【解決手段】  インバータ回路５と放電灯ＦＬとの間に介設される直流カット用コンデンサＣ２と、放電灯ＦＬに対して並列に接続された半波整流回路７と、直流カット用コンデンサＣ２に印加される電圧の直流成分を検出すると共に当該検出された電圧の絶対値が予め設定された基準電圧以上の場合、放電灯ＦＬへ供給する電源電圧を制限するべくインバータ回路５の動作を制御する電圧検出回路９と、放電灯ＦＬへ供給する電源電圧が制限されている場合に、直流カット用コンデンサＣ２に基準電圧以上の直流電圧を供給する抵抗Ｒ６，Ｒ７を備えた。【選択図】      図２
2006032167.tif 000002
【特許請求の範囲】
【請求項１】
放電灯に、点灯用の電源電圧を供給する放電灯点灯手段と、
前記放電灯点灯手段と前記放電灯との間に介設される直流カット用コンデンサと、
前記放電灯に対して並列に接続された半波整流手段と、
前記直流カット用コンデンサに印加される電圧の直流成分を検出すると共に当該検出された電圧の絶対値が予め設定された第１の基準電圧以上の場合、前記放電灯へ供給する電源電圧を制限するべく前記放電灯点灯手段の動作を制御する直流電圧検出手段と、
前記放電灯へ供給する電源電圧が制限されている場合に、前記直流カット用コンデンサに前記第１の基準電圧以上の直流電圧を供給する直流電圧供給用抵抗と、
を備えたことを特徴とする放電灯点灯装置。
【請求項２】
放電灯に、点灯用の電源電圧を供給する放電灯点灯手段と、
前記放電灯点灯手段と前記放電灯との間に介設される直流カット用コンデンサと、
前記直流カット用コンデンサに印加される電圧の直流成分を検出すると共に当該検出された電圧の絶対値が予め設定された第２の基準電圧以上の場合、前記放電灯へ供給する電源電圧を制限するべく前記放電灯点灯手段の動作を制御する直流電圧検出手段と、
前記放電灯の少なくとも一端側のフィラメントを介する直流電流経路と、
前記直流電流経路に直流電流を供給する直流電流供給手段と、
前記直流電流経路に流れる直流電流の有無を検出し、当該直流電流がなければ、前記放電灯へ供給する電源電圧を制限するべく前記放電灯点灯手段の動作を制御するフィラメント検出手段と、
前記直流カット用コンデンサに印加される電圧の直流成分を検出すると共に当該検出した電圧に基づいて、前記フィラメント検出手段による前記電源電圧を制限するための制御を禁止するフィラメント検出マスク手段と、
を備えたことを特徴とする放電灯点灯装置。
【請求項３】
前記フィラメント検出マスク手段は、前記検出した電圧が、予め設定された第３の基準電圧以上の場合、前記フィラメント検出手段による前記電源電圧を制限するための制御を禁止することを特徴とする請求項２記載の放電灯点灯装置。
【請求項４】
前記フィラメント検出マスク手段は、前記検出した電圧の絶対値が、予め設定された第３の基準電圧以上の場合、前記フィラメント検出手段による前記電源電圧を制限するための制御を禁止することを特徴とする請求項２記載の放電灯点灯装置。
【請求項５】
前記フィラメント検出マスク手段は、前記検出した電圧における負電位側の絶対値が、予め設定された第３の基準電圧以上の場合、前記フィラメント検出手段による前記電源電圧を制限するための制御を禁止することを特徴とする請求項２記載の放電灯点灯装置。
【請求項６】
前記放電灯のフィラメントの一方は、グラウンドに接続され、
前記直流カット用コンデンサは、前記放電灯における他方のフィラメントと放電灯点灯手段との間に介設されており、
前記直流電流経路は、前記他方のフィラメントを介するものであることを特徴とする請求項５記載の放電灯点灯装置。
【請求項７】
前記第２，第３の基準電圧は、共に正の電圧であって、前記第３の基準電圧は前記第２の基準電圧以下であることを特徴とする請求項３〜６に記載の放電灯点灯装置。
【請求項８】
前記直流電流経路中に整流手段を備えたことを特徴とする請求項２〜７のいずれかに記載の放電灯点灯装置。
【請求項９】
前記フィラメント検出手段は、前記直流電流が無い状態を検出した場合に、前記直流電圧検出手段による前記電源電圧を制限するための制御を停止することを特徴とする請求項２〜８のいずれかに記載の放電灯点灯装置。
【請求項１０】
前記半波整流手段のインピーダンスは、点灯時における前記放電灯のインピーダンスより大きいことを特徴とする請求項１記載の放電灯点灯装置。
【請求項１１】
前記直流電圧検出手段及び前記フィラメント検出手段のインピーダンスは、点灯時における前記放電灯のインピーダンスより大きいことを特徴とする請求項２〜９のいずれかに記載の放電灯点灯装置。
【請求項１２】
放電灯を点灯させるための放電灯点灯装置と、前記放電灯点灯装置を収容する筐体と、前記放電灯を前記放電灯点灯装置に接続するためのソケットとを備え、
前記放電灯点灯装置は、請求項１〜１１のいずれかに記載の放電灯点灯装置であることを特徴とする照明装置。
【発明の詳細な説明】
【技術分野】
【０００１】
本発明は、放電灯を点灯させる放電灯点灯装置、及び照明装置に関する。
【背景技術】
【０００２】
図９は、背景技術に係る放電灯点灯装置の構成を示す回路図である（例えば、特許文献１参照。）。図９に示す放電灯点灯装置は、放電灯の寿命末期および放電灯装着時の不点灯を検出することができるものである。具体的には、図９に示すように放電灯ＦＬを点灯させるインバータ回路１０１と、インバータ回路１０１及び放電灯ＦＬ間に接続された直流カット用コンデンサ１０２と、直流カット用コンデンサ１０２より放電灯ＦＬ側に放電灯ＦＬに対して並列に接続された半波整流回路１０３と、インバータ回路１０１を動作後所定時間の経過を検出するタイマ回路１０４と、直流カット用コンデンサ１０２の電圧を検出する電圧検出回路１０５と、この電圧検出回路１０５で電圧が所定値以上であると検出されるとインバータ回路１０１の出力を停止させる発振停止回路１０６とを備えている。
【０００３】
そして、放電灯ＦＬが点灯しない状態では、放電灯ＦＬに電流が流れないため半波整流回路１０３を介して電流が流れ、直流カット用コンデンサ１０２の電圧が上昇し、この電圧の上昇を電圧検出回路１０５で検出することにより放電ランプが不点灯であることを検出できる。また放電灯ＦＬが寿命末期になると、放電灯ＦＬで半波放電が生じて直流カット用コンデンサ１０２の電圧が上昇し、電圧検出回路１０５で放電ランプの寿命末期を検出できるようになっている。そして、電圧検出回路１０５により放電灯の不点灯や寿命末期が検出されると、発振停止回路１０６によってインバータ回路１０１の動作を停止させ、インバータ回路１０１にストレスがかかることを防止している。
【０００４】
図１０は、背景技術に係る放電灯点灯装置の他の構成を示す回路図である（例えば、特許文献２参照。）。図１０に示す放電灯点灯装置は、放電灯ＦＬがフィラメント切れもしくは放電灯ＦＬが正常にソケットに挿入されていない状態における放電灯点灯装置の保護と放電灯交換時の電撃を防止する機能を有するものである。具体的には、図１０に示すように商用交流電流を整流して平滑した直流電源電圧Ｖdcを、チョークコイルと共振用コンデンサとを直列に接続した直列共振回路を用いて高周波高電圧の交流電流に変換するインバータ回路１１５、直流電源の出力端子とチョークコイル（減流コイル）が接続された放電灯ＦＬの一方の極であるフィラメント１１８ａ端子と他方の極であるフィラメントｆ１１８ｂの間に、抵抗１１７及び共振用コンデンサ１１４の並列回路が接続されている。これにより放電灯の両極の各フィラメントに直流バイアス電流を流すバイアス回路、直流バイアス電流値を検出する電流検出回路１１６、及び電流検出回路１１６による電流検出値が所定値以下になった時にインバータ回路１１５の電源供給を制限させる回路を有している。
【０００５】
また、直流カットコンデンサ１１２の放電灯側端子にダイオード１１３のカソードを接続し、接地側にダイオード１１３のアノードを接続した構成にすることにより、放電灯ＦＬが寿命末期で片側エミッタレス状態となり整流作用が発生した場合でも、直流カットコンデンサ１１２の電圧が接地側よりも過大にマイナス電位にはならない為、ダイオード１１３を接続しない場合に比べて直流バイアス電流値を検出する電流検出回路１１６が安定に動作するようになっている。
【０００６】
しかし、図１０に示す放電灯点灯装置においては、共振用コンデンサ１１４が放電灯ＦＬのフィラメントを介してインバータ回路１１５に接続されているため、インバータ動作中にフィラメント断線あるいは、放電灯ＦＬと放電灯点灯装置との電気的接続不良が生じると、その瞬間に断線間あるいは接続間にて共振電圧によるアーク放電が発生し、放電灯点灯装置を構成する電子部品に対して過大なストレスがかかったり、放電灯ＦＬを支持するソケット部が異常発熱したりすることになる。このような現象を回避する方法としては、例えば、放電灯の各フィラメントに並列にインピーダンス素子、具体的にはそれ自身では直流電流を遮断するコンデンサ素子を接続することで、たとえフィラメント部での接続不良が発生しても、上記インピーダンス素子であるコンデンサを経由して共振電流が流れることが可能になるため、アーク放電が発生しない、といった方法が知られている（例えば、特許文献３参照。）。
【特許文献１】特開平１３−２８４０８３号公報
【特許文献２】特開２００２−９３５９１号公報
【特許文献３】特許番号２７５４５３１号公報
【発明の開示】
【発明が解決しようとする課題】
【０００７】
ところで、上述の図９に示す放電灯点灯装置のように、半波整流回路１０３あるいは放電灯の半波放電により直流カット用コンデンサ１０２の電圧が上昇することを検出して、発振停止回路１０６によりインバータ回路１０１の出力電圧を制限すると、半波整流回路１０３の両端に印加される高周波電圧も抑制されるため、半波整流により直流カット用コンデンサ１０２に発生する電圧も低下する。そのため、電圧検出回路１０５における直流カット用コンデンサ１０２の電圧の検出しきい値が高いと、インバータ回路１０１の出力電圧が制限されることにより、直流カット用コンデンサ１０２の電圧が検出しきい値を下回ってしまうためインバータ回路１０１の出力電圧制限が解除されてしまう。そのため、インバータ回路１０１の出力電圧制限動作を維持する為には、直流カット用コンデンサ電圧の検出しきい値を低電圧に設定しておく必要があるが、この場合には例えば耐ノイズ性能が悪化して検出誤動作を引き起こす可能性があるという問題がある。
【０００８】
また発振停止回路１０６により、放電灯に供給する高周波電力を完全停止した場合には、半波整流による直流カット用コンデンサ１０２への充電がなくなり、逆に直流カット用コンデンサ１０２に充電された電荷は抵抗Ｒ２〜Ｒ５、コイル１１０、及びトランジスタ１１１の寄生ダイオードを介して放電される為、直流カット用コンデンサ１０２の電圧を検出する電圧検出回路１０５の検出電圧は検出しきい値以下となる。そのためインバータ回路１０１による出力電圧制限動作を維持することができなくなるという問題がある。この場合、電圧検出回路１０５もしくは発振停止回路１０６に、一旦直流カット用コンデンサ１０２の電圧が電圧検出回路１０５の検出しきい値を超えると、出力電圧制限動作を維持するラッチ機能を備えることも考えられるが、コストが増大する。
【０００９】
また、上述の図１０に示す放電灯点灯装置においては、放電灯ＦＬが寿命末期となり整流作用を持つようになるいわゆる片側エミッタレス状態になると、その方向性によりフィラメント検出が阻害されるという問題がある。すなわち、フィラメント１１８ｂ側の電子放射物質（エミッタ）が喪失した場合、直流カットコンデンサ１１２の電圧は接地側よりも負電位になる場合があるため、このような状態では電流検出回路１１６におけるコンデンサ１１９に直流バイアス電流が充電されないのみならず、逆にコンデンサ１１９の電荷を引抜くことになる結果、フィラメントは断線していないにも関わらず電流検出回路１１６はフィラメント断線（又は負荷無し）を誤検知してインバータ回路１１５が発振停止等してしまうという問題がある。
【００１０】
この場合、上述のように、直流カットコンデンサ１１２と並列に接続されたダイオード１１３によって直流カットコンデンサ１１２の電圧が接地側よりも過大にマイナス電位にはならないようにされているものの、ダイオード１１３がオンしている間は直流カットコンデンサ１１２の電圧は、ほぼ接地状態となるため、電流検出回路１１６には直流バイアス電流は流れず、コンデンサ１１９は充電されない一方、コンデンサ１１９の電荷は抵抗１２０を介して放電される結果、電流検出回路１１６はフィラメント断線（又は負荷無し）を誤検知してインバータ回路１１５が発振停止してしまうこととなる。
【００１１】
さらに、放電灯点灯装置に、放電灯ＦＬ交換後の電源リセットレスでの再点灯機能を持たせるため、フィラメント検出による保護動作シーケンスとして一旦電流検出回路１１６による電流検出値が検出しきい値以下になってインバータ回路１１５の電源供給を制限させた後にその後の電流検出値の如何を問わず電源供給の制限を継続するのではなく、電流検出回路１１６による電流検出値が検出しきい値を超えてフィラメント有りと判断された場合、再びインバータ回路１１５による電源供給を再開させるようにする放電灯点灯装置が知られている。このような放電灯点灯装置では、上記のような誤検知によりインバータ回路１１５が一旦停止しても、放電灯ＦＬ両端のフィラメントが断線していなければ、再びインバータ回路１１５が発振開始して放電灯ＦＬに過大なストレスを与えつつ始動し、再び寿命末期ランプ自身の整流作用によってフィラメント検出の誤動作により停止するという一連の動作を繰り返すことになる。この時、放電灯ＦＬ及びその周辺回路に、断続的に電圧ストレスを与えるという問題がある。
【００１２】
本発明は、このような問題に鑑みて為された発明であり、半波整流回路あるいは放電灯の半波放電により直流カットコンデンサの電圧が上昇することを検出して放電灯への電源供給を制限する放電灯点灯装置において、電源供給の制限後に電源供給の制限を維持することが容易な放電灯点灯装置、および、放電灯の寿命末期にフィラメントは断線していないにも関わらずフィラメント断線等を誤検知することを抑制することができる放電灯点灯装置、さらに、このような放電灯点灯装置を備えた照明装置を提供することを目的とする。
【課題を解決するための手段】
【００１３】
上述の目的を達成するために、本発明の第１の手段に係る放電灯点灯装置は、放電灯に、点灯用の電源電圧を供給する放電灯点灯手段と、前記放電灯点灯手段と前記放電灯との間に介設される直流カット用コンデンサと、前記放電灯に対して並列に接続された半波整流手段と、前記直流カット用コンデンサに印加される電圧の直流成分を検出すると共に当該検出された電圧の絶対値が予め設定された第１の基準電圧以上の場合、前記放電灯へ供給する電源電圧を制限するべく前記放電灯点灯手段の動作を制御する直流電圧検出手段と、前記放電灯へ供給する電源電圧が制限されている場合に、前記直流カット用コンデンサに前記第１の基準電圧以上の直流電圧を供給する直流電圧供給用抵抗と、を備えたことを特徴としている。
【００１４】
そして、本発明の第２の手段に係る放電灯点灯装置は、放電灯に、点灯用の電源電圧を供給する放電灯点灯手段と、前記放電灯点灯手段と前記放電灯との間に介設される直流カット用コンデンサと、前記直流カット用コンデンサに印加される電圧の直流成分を検出すると共に当該検出された電圧の絶対値が予め設定された第２の基準電圧以上の場合、前記放電灯へ供給する電源電圧を制限するべく前記放電灯点灯手段の動作を制御する直流電圧検出手段と、前記放電灯の少なくとも一端側のフィラメントを介する直流電流経路と、前記直流電流経路に直流電流を供給する直流電流供給手段と、前記直流電流経路に流れる直流電流の有無を検出し、当該直流電流がなければ、前記放電灯へ供給する電源電圧を制限するべく前記放電灯点灯手段の動作を制御するフィラメント検出手段と、前記直流カット用コンデンサに印加される電圧の直流成分を検出すると共に当該検出した電圧に基づいて、前記フィラメント検出手段による前記電源電圧を制限するための制御を禁止するフィラメント検出マスク手段と、を備えたことを特徴としている。
【００１５】
また、上述の放電灯点灯装置は、前記フィラメント検出マスク手段は、前記検出した電圧が、予め設定された第３の基準電圧以上の場合、前記フィラメント検出手段による前記電源電圧を制限するための制御を禁止することを特徴としている。
【００１６】
そして、上述の放電灯点灯装置は、前記フィラメント検出マスク手段は、前記検出した電圧の絶対値が、予め設定された第３の基準電圧以上の場合、前記フィラメント検出手段による前記電源電圧を制限するための制御を禁止することを特徴としている。
【００１７】
さらに、上述の放電灯点灯装置は、前記フィラメント検出マスク手段は、前記検出した電圧における負電位側の絶対値が、予め設定された第３の基準電圧以上の場合、前記フィラメント検出手段による前記電源電圧を制限するための制御を禁止することを特徴としている。
【００１８】
また、上述の放電灯点灯装置は、前記放電灯のフィラメントの一方は、グラウンドに接続され、前記直流カット用コンデンサは、前記放電灯における他方のフィラメントと放電灯点灯手段との間に介設されており、前記直流電流経路は、前記他方のフィラメントを介するものであることを特徴としている。
【００１９】
そして、上述の放電灯点灯装置は、前記第２，第３の基準電圧は、共に正の電圧であって、前記第３の基準電圧は前記第２の基準電圧以下であることを特徴としている。
【００２０】
さらに、上述の放電灯点灯装置は、前記直流電流経路中に整流手段を備えたことを特徴としている。
【００２１】
また、上述の放電灯点灯装置は、前記フィラメント検出手段は、前記直流電流が無い状態を検出した場合に、前記直流電圧検出手段による前記電源電圧を制限するための制御を停止することを特徴としている。
【００２２】
そして、上述の放電灯点灯装置は、前記半波整流手段のインピーダンスは、点灯時における前記放電灯のインピーダンスより大きいことを特徴としている。
【００２３】
さらに、上述の放電灯点灯装置は、前記直流電圧検出手段及び前記フィラメント検出手段のインピーダンスは、点灯時における前記放電灯のインピーダンスより大きいことを特徴としている。
【００２４】
また、本発明の第３の手段に係る照明装置は、放電灯を点灯させるための放電灯点灯装置と、前記放電灯点灯装置を収容する筐体と、前記放電灯を前記放電灯点灯装置に接続するためのソケットとを備え、前記放電灯点灯装置は、上述のいずれかに記載の放電灯点灯装置であることを特徴としている。
【発明の効果】
【００２５】
このような構成の放電灯点灯装置及び照明器具は、放電灯へ供給する電源電圧が制限されている場合に、直流カット用コンデンサに第１の基準電圧以上の直流電圧を供給する直流電圧供給用抵抗を備えるので、電源供給の制限後も直流電圧検出手段で第１の基準電圧以上の電圧が検出され、電源供給の制限後に電源供給の制限を維持することが容易となる。
【００２６】
そして、このような構成の放電灯点灯装置及び照明器具は、フィラメント検出マスク手段によって、直流カット用コンデンサに印加される電圧の直流成分に基づいて、フィラメント検出手段による電源電圧を制限するための制御が禁止されるので、放電灯の寿命末期にフィラメントは断線していないにも関わらずフィラメント断線を誤検知することを抑制することができる。
【発明を実施するための最良の形態】
【００２７】
以下、本発明に係る実施形態を図面に基づいて説明する。なお、各図において同一の符号を付した構成は、同一の構成であることを示し、その説明を省略する。
【００２８】
（第１実施形態）
図１は、本発明の一実施形態に係る照明装置１の外観の一例を示す斜視図である。図２は、本発明の第１の実施形態に係る放電灯点灯装置２の構成の一例を示す回路図である。図１に示す照明装置１は、図略の放電灯点灯装置２と、放電灯点灯装置２を収容する筐体３と、放電灯ＦＬを放電灯点灯装置２に接続するためのソケット４とを備えている。
【００２９】
図２に示す放電灯点灯装置２は、例えば商用交流電源を整流、平滑した直流電源Ｅに、放電灯点灯手段としてのハーフブリッジ型のインバータ回路５が接続されている。このインバータ回路５にはトランジスタＱ１，Ｑ２が直列に接続され、このトランジスタＱ２のソース、ドレイン間には共振用インダクタを兼ねた例えばバラストチョークであるインダクタＬ１及び共振用のコンデンサＣ１の直列回路が接続されて構成されている。また、トランジスタＱ１，Ｑ２のゲートには、トランジスタＱ１，Ｑ２を交互にオン、オフするドライブ回路６が接続されている。
【００３０】
さらに、インダクタＬ１とコンデンサＣ１との接続点は、直流カット用コンデンサＣ２を介して放電灯ＦＬにおける一方端側のフィラメントｆ１の一端が接続されている。また、放電灯ＦＬのフィラメントｆ１，ｆ２には、例えばインダクタＬ１と磁気的に結合されたフィラメント予熱巻線Ｌ２，Ｌ３が、それぞれ接続されている。直流カット用コンデンサＣ２とフィラメントｆ１との接続点と、グラウンドとの間には、抵抗Ｒ１とダイオードＤ１との直列回路からなる半波整流手段としての半波整流回路７が接続され、この半波整流回路７のインピーダンスは、放電灯ＦＬの点灯時のインピーダンスより十分大きなインピーダンスに設定されている。これにより、放電灯ＦＬへ流れる電流を相対的に高め、放電灯ＦＬ以外の回路における損失を軽減することで、回路効率が向上する。
【００３１】
また、直流カット用コンデンサＣ２と半波整流回路７との接続点と、グラウンド間には、抵抗Ｒ２，Ｒ３，Ｒ４，Ｒ５の直列回路が接続され、抵抗Ｒ５と並列にコンデンサＣ３が接続されている。そして、抵抗Ｒ４，Ｒ５の接続点に、インバータ回路５が起動した後の経過時間を検出するタイマ回路８が接続され、タイマ回路８には直流電圧検出手段である電圧検出回路９が接続され、電圧検出回路９はインバータ回路５の発振を停止させる発振停止回路１０に接続され、発振停止回路１０は、ドライブ回路６に接続されている。
【００３２】
そして、直流電源Ｅの高圧側と、直流カット用コンデンサＣ２と放電灯ＦＬとの接続点との間に、直流電圧供給用抵抗である抵抗Ｒ６及びＲ７が直列に接続されている。
【００３３】
次に、上述のように構成された放電灯点灯装置２における放電灯ＦＬが寿命末期での動作を説明する。放電灯ＦＬの寿命末期において、放電灯ＦＬのフィラメントｆ１、ｆ２におけるいずれかのエミッタが消耗して放電灯ＦＬが半波放電になると、直流カット用コンデンサＣ２に直流が流れることにより直流カット用コンデンサＣ２に電荷が蓄積されて充電され、直流カット用コンデンサＣ２の両端電圧が上昇する。
【００３４】
一方、タイマ回路８はインバータ回路５が起動した後に生じる過渡電圧を回避するべく予め設定された所定時間が経過すると、電圧検出回路９を動作させるべく制御信号を出力し、電圧検出回路９は直流カット用コンデンサＣ２に印加される電圧の直流成分を、抵抗Ｒ２，Ｒ３，Ｒ４，Ｒ５、及びコンデンサＣ３によって検出すると共に当該検出された電圧の絶対値が予め設定された検出しきい値（第１の基準電圧）以上の場合、放電灯ＦＬへ供給する電源電圧を制限させるべく発振停止回路１０へ制御信号を出力する。
【００３５】
そうすると、発振停止回路１０は、ドライブ回路６の出力を停止させてトランジスタＱ１，Ｑ２をオフ状態にし、インバータ回路５は動作を停止して放電灯ＦＬへの電源電圧の供給を停止する。インバータ回路５が停止すると放電灯ＦＬへの電源電圧が供給されないため、例えば背景技術に係る図９に示す放電灯点灯装置では、直流カット用コンデンサ１０２に充電されていた電荷が抵抗Ｒ２〜Ｒ５、コイル１１０、及びトランジスタ１１１の寄生ダイオードを介して放電される為、直流カット用コンデンサ１０２の電圧を検出する電圧検出回路１０５の検出電圧は検出しきい値を下回り、発振停止回路１０によるドライブ回路６の出力停止状態が解除されてしまう。
【００３６】
しかし、図２に示す放電灯点灯装置２においては、抵抗Ｒ６，Ｒ７によって、直流カット用コンデンサＣ２の放電灯ＦＬ側端子には直流電源Ｅの電圧を抵抗Ｒ２〜Ｒ７で分圧した電圧が発生するために、インバータ回路５が発振停止して放電灯ＦＬへの電源電圧が供給されない間でも電圧検出回路９において、検出しきい値以上の電圧が維持され、発振停止回路１０によるドライブ回路６の出力停止状態が維持される。
【００３７】
なお、放電灯ＦＬが正常に点灯した場合でも、直流カット用コンデンサＣ２の放電灯ＦＬ側端子には直流電源Ｅの電圧を抵抗Ｒ６，Ｒ７の直列回路、及び放電灯ＦＬの点灯インピーダンスで分圧した電圧が発生する。従って、抵抗Ｒ６，Ｒ７の抵抗値は、その電圧値が電圧検出回路１０５の検出しきい値を下回るように、抵抗Ｒ６，Ｒ７の直列抵抗値を放電灯ＦＬの点灯インピーダンスに対して相対的に大きい値にされている。例えば、放電灯ＦＬの点灯のインピーダンスは、１００Ω〜９キロΩ程度であるのに対し、抵抗Ｒ６，Ｒ７の直列抵抗値は１００ｋΩ〜１０ＭΩ程度が望ましい。
【００３８】
これにより、例えば放電灯ＦＬが寿命末期状態等である場合に、半波整流回路７あるいは放電灯ＦＬの半波放電により直流カット用コンデンサＣ２の電圧が上昇することを検出して放電灯ＦＬへの電源供給を制限する放電灯点灯装置において、例えばインバータ回路５による出力電圧制限動作を維持するためのラッチ回路等を設けることなく抵抗Ｒ６，Ｒ７を備えることによりインバータ回路５による出力電圧制限動作を維持することができ、放電灯ＦＬへの電源供給の制限後に電源供給の制限を維持することが容易となる。また、抵抗Ｒ６，Ｒ７を備えるだけでよいので、コストの上昇を抑制できる。
【００３９】
なお、抵抗Ｒ６，Ｒ７は、その直列抵抗に相当する１個の抵抗で構成されてもよく、あるいは３個以上の抵抗で構成されてもよい。
【００４０】
（第２実施形態）
次に、本発明の第２の実施形態に係る放電灯点灯装置について説明する。図３は、本発明の第２の実施形態に係る放電灯点灯装置２ａの構成の一例を示す回路図である。図３に示す放電灯点灯装置は、例えば１００Ｖ、２００Ｖ又は２４０Ｖ等の商用の交流電源ＶＳに、例えばダイオードブリッジで構成された整流器ＤＢが接続されている。整流器ＤＢは交流電源ＶＳからの交流電圧を脈流電圧に整流して直流電源回路ＣＶへ出力するもので、交流電源ＶＳが１００Ｖの場合、ダイオードブリッジの代わりに例えば倍電圧整流回路を用いてもよい。倍電圧整流回路を用いると、交流電源ＶＳの電圧が実質的に２００Ｖと同等と見なせ、倍電圧整流回路以後に接続されている回路に流れる電流がダイオードブリッジと比べて約半分となるので、放電灯点灯装置２ａの効率を向上することができる。
【００４１】
直流電源回路ＣＶは整流器ＤＢからの脈流電圧を、例えば平滑用アルミ電解コンデンサによって更に平滑したり、他の直流電圧に変換したりするものであり、例えば昇圧チョッパ、降圧チョッパ、昇降圧チョッパ、あるいは極性反転チョッパ回路であっても構わない。インバータ回路５は、直流電源回路ＣＶからの直流電圧を高周波に変換し、放電灯ＦＬの一方端側におけるフィラメントｆ１の一方の端子にインダクタＬ１を介して高周波電力を供給する。フィラメントｆ１の他方の端子は、コンデンサＣ１と抵抗Ｒ１２との並列回路を介して放電灯ＦＬの他方端側におけるフィラメントｆ２の一方の端子に接続され、フィラメントｆ２の他方の端子は直流カット用コンデンサＣ２を介してグラウンドに接続されている。また、フィラメントｆ１，ｆ２には、それぞれコンデンサＣ１１，Ｃ１２が並列に接続されており、フィラメントが断線、あるいは放電灯ＦＬと放電灯点灯装置２ａとの電気的接続不良が生じた際に、断線間もしくは接続不良間でのアーク放電発生を防止し、放電灯点灯装置２ａを構成する電子部品への過大なストレス発生やソケット４の発熱等を抑制するようになっている。
【００４２】
直流カット用コンデンサＣ２は、インバータ回路５に流れる電流の直流成分を遮断し、これによりインバータ回路５は交流電圧でのみ動作することになる。直流カット用コンデンサＣ２の容量は、通常、共振用コンデンサＣ１よりも大きく設定されている。そして、インダクタＬ１とコンデンサＣ１との直列共振回路の共振動作により放電灯ＦＬが始動、点灯される。放電灯ＦＬは例えば蛍光灯である。なお、共振回路の構成は、図２に示す放電灯点灯回路２におけるインダクタＬ１、コンデンサＣ１及び直流カット用コンデンサＣ２と同様の構成であってもよい。
【００４３】
また、フィラメントｆ２と直流カット用コンデンサＣ２との接続点には、直流電圧検出手段である電圧検出回路９ａと、フィラメント検出手段であるフィラメント検出回路１１とが接続され、電圧検出回路９ａはタイマ回路８に接続され、タイマ回路８とフィラメント検出回路１１とは制御部１２に接続されている。
【００４４】
電圧検出回路９ａは、フィラメントｆ２と直流カット用コンデンサＣ２との接続点と、グラウンドとの間に接続された抵抗Ｒ２１とコンデンサＣ２１との直列回路を備え、抵抗Ｒ２１とコンデンサＣ２１との接続点は、ダイオードＤ２３と抵抗Ｒ２２とを介してグラウンドに接続されている。そして、ダイオードＤ２３と抵抗Ｒ２２との接続点は、コンパレータＣＭＰ２１のプラス端子とコンパレータＣＭＰ２２のマイナス端子とに接続されている。また、コンパレータＣＭＰ２１のマイナス端子にはしきい値電圧Ｖｔｈ２１が印加され、コンパレータＣＭＰ２２のプラス端子にはしきい値電圧Ｖｔｈ２２が印加されている。そして、コンパレータＣＭＰ２１，ＣＭＰ２２の出力信号が、それぞれダイオードＤ２１，Ｄ２２を介してワイヤードオアされ、電圧検出信号として、タイマ回路８とフィラメント検出回路１１とに出力される。この場合、しきい値電圧Ｖｔｈ２１，Ｖｔｈ２２が第２及び第３の基準電圧に相当する。
【００４５】
しきい値電圧Ｖｔｈ２１，Ｖｔｈ２２は、例えば放電灯ＦＬの寿命末期等に直流カット用コンデンサＣ２に生じる検出電圧に設定されており、コンパレータＣＭＰ２１とコンパレータＣＭＰ２２の出力信号をワイヤードオアした信号を電圧検出信号とすることにより、直流カット用コンデンサＣ２に印加される電圧の直流成分の絶対値がしきい値電圧Ｖｔｈ２１，Ｖｔｈ２２を超えた場合に寿命末期等を検出した旨を示す電圧検出信号がタイマ回路８へ出力される。
【００４６】
タイマ回路８は、インバータ回路５が起動した後に生じる過渡電圧を回避するべく予め設定された所定時間が経過するまで、電圧検出回路９ａからの電圧検出信号をマスクする。
【００４７】
フィラメント検出回路１１は、フィラメントｆ２と直流カット用コンデンサＣ２との接続点と、グラウンドとの間に接続された抵抗Ｒ１３，Ｒ１４の直列回路を備え、抵抗Ｒ１３と抵抗Ｒ１４との接続点は、ダイオードＤ１１と抵抗Ｒ１５とを介してグラウンドに接続され、抵抗Ｒ１５と並列にコンデンサＣ１３が接続されている。また、抵抗Ｒ１６とトランジスタＱ１１との直列回路と、抵抗Ｒ１７とトランジスタＱ１２との直列回路とが、回路動作用の直流電源Ｖｃｃとグラウンドとの間に接続され、ダイオードＤ１１とコンデンサＣ１３との接続点がトランジスタＱ１１のベースに接続され、トランジスタＱ１１のコレクタがトランジスタＱ１２のベースに接続されている。ダイオードＤ１１は、コンデンサＣ１３に充電された電荷の逆流防止用ダイオードである。そして、トランジスタＱ１２のコレクタが、コンパレータＣＭＰ１１のプラス端子に接続され、コンパレータＣＭＰ１１のマイナス端子には、しきい値電圧Ｖｔｈ１１が印加され、コンパレータＣＭＰ１１の出力端子が制御部１２に接続されている。
【００４８】
さらに、フィラメント検出マスク手段であるトランジスタＱ３１が、トランジスタＱ１２のベースとエミッタとの間に接続され、電圧検出回路９ａからの電圧検出信号がトランジスタＱ３１のベースに入力されている。
【００４９】
また、直流電流供給手段である直流電源回路ＣＶの直流電圧出力端子と、インバータ回路５及びインダクタＬ１の接続点との間に抵抗Ｒ１１が接続され、直流電源回路ＣＶ、抵抗Ｒ１１、インダクタＬ１、フィラメントｆ１、抵抗Ｒ１２、フィラメントｆ２、抵抗Ｒ１３、及び抵抗Ｒ１４を介してグラウンドに至る直流電流経路が構成され、フィラメントｆ１，ｆ２に直流バイアス電流を流すようにされている。
【００５０】
制御部１２はインバータ回路５が有するスイッチング素子を駆動制御するものであり、更に直流電源回路ＣＶがスイッチング素子を有する場合にはそのスイッチング素子をも駆動制御する機能を有する。また、後述するように、電圧検出回路９ａ及びフィラメント検出回路１１からの検出信号を受けて、インバータ回路５、あるいは直流電源回路ＣＶのスイッチング駆動動作を制御し、放電灯ＦＬへの電力供給を制御するものである。
【００５１】
次に、上述のように構成された放電灯点灯装置２ａの動作について説明する。まず、フィラメント検出回路１１の動作を説明する。まず放電灯ＦＬが正常な状態で放電灯点灯装置２ａに接続されている場合は、直流電源回路ＣＶの高圧側端子から抵抗Ｒ１１、インダクタＬ１、フィラメントｆ１、抵抗Ｒ１２、フィラメントｆ２、抵抗Ｒ１３、ダイオードＤ１１、抵抗Ｒ１５を介して直流電流経路が形成され、コンデンサＣ１３両端に直流電圧が発生するので、トランジスタＱ１１はオン，トランジスタＱ１２はオフし、コンパレータＣＭＰ１１のプラス端子には直流定電圧Ｖｃｃが印加される。電圧Ｖｃｃとしきい値電圧Ｖｔｈ１１との関係をＶｃｃ＞Ｖｔｈ１１と設定しておくことで、コンパレータＣＭＰ１１の出力信号はハイレベルとなる。従って、コンパレータＣＭＰ１１の出力信号は、ハイレベルでフィラメントの正常接続を意味する。
【００５２】
次に放電灯ＦＬがフィラメント切れ、もしくは放電灯ＦＬが正常に放電灯点灯装置２ａに接続されていない場合は、フィラメント検出回路１１の直流電流経路が寸断され、コンデンサＣ１３の電荷は抵抗Ｒ１５を介して放電される。従ってトランジスタＱ１１はオフ，トランジスタＱ１２はオンとなるため、コンパレータＣＭＰ１１のプラス端子は回路グランド電位となり、コンパレータＣＭＰ１１の出力信号はローレベルとなる。従って、コンパレータＣＭＰ１１の出力信号は、ローレベルでフィラメントの断線あるいは放電灯ＦＬの異常挿入状態を意味する。
【００５３】
そして、制御部１２によって、フィラメント検出回路１１の出力信号がハイレベルの場合はインバータ回路５の駆動制御が維持され、逆にローレベルの場合は、インバータ回路５の出力を抑制するように駆動制御するか、もしくはインバータ回路５を発振停止させるように制御され、放電灯ＦＬへの電力供給が制限される。
【００５４】
次に電圧検出回路９ａの動作を説明する。電圧検出回路９ａは、直流カット用コンデンサＣ２の直流電圧値を検出し、放電灯が寿命末期となって半波放電を起こしたことを検知する。まず、放電灯ＦＬが正常状態の場合において、直流カット用コンデンサＣ２の両端電圧は、インバータ回路５がハーフブリッジ構成でスイッチング素子のオン、オフ幅が５０％：５０％の場合は、直流電源電圧の約２分の１の直流電圧が発生することが知られている。従って、直流電源回路ＣＶの出力電圧をＥとすると、直流カット用コンデンサＣ２両端にはＥ／２の電圧が発生する。この直流カット用コンデンサＣ２の両端電圧は電圧検出回路９ａ内の抵抗Ｒ２１，Ｒ２２にて分圧され（以後、分圧されたＲ２２両端電圧をＣ２検出電圧と称する）、コンパレータＣＭＰ２１のプラス端子及びコンパレータＣＭＰ２２のマイナス端子に入力される。ここでＣ２検出電圧としきい値電圧Ｖｔｈ２１、Ｖｔｈ２２との大小関係について、しきい値電圧Ｖｔｈ２１、Ｖｔｈ２２は、共にゼロより大きい電圧値であって、Ｖｔｈ２２  ＜  Ｃ２検出電圧（放電灯は正常状態）  ＜  Ｖｔｈ２１となるように設定しておけば、放電灯ＦＬが正常状態で点灯している場合はコンパレータＣＭＰ２１，ＣＭＰ２２の出力信号は共にローレベルとなる。このローレベルの出力信号はタイマ回路８を介して制御部１２に伝達されるが、制御部１２では電圧検出回路９ａからの出力信号がローレベルであれば、放電灯ＦＬは正常であると判断し、インバータ回路５を駆動制御維持する。
【００５５】
次に、フィラメントｆ１が寿命末期でエミッタ不足に陥った場合は、放電灯ＦＬの放電によって半波整流作用が生じるため、直流カット用コンデンサＣ２の両端電圧として（Ｅ／２）＋αの直流電圧が発生する。これによりＣ２検出電圧が上昇し、
Ｃ２検出電圧  ＞  Ｖｔｈ２１
となると、コンパレータＣＭＰ２１の出力信号はハイレベルとなる。制御部１２では電圧検出回路９ａからの出力信号がハイレベルであれば、放電灯ＦＬは寿命末期であると判断し、インバータ回路５を駆動抑制もしくは停止するように保護制御する。
【００５６】
一方、フィラメントｆ２が寿命末期でエミッタ不足に陥った場合は、放電灯ＦＬの放電によって半波整流作用が生じるため、コンデンサＣ２の両端電圧としては（Ｅ／２）−αの直流電圧が発生する。これによりＣ２検出電圧が低下し、
Ｃ２検出電圧  ＜  Ｖｔｈ２２
となると、コンパレータＣＭＰ２２の出力信号はハイレベルとなる。従って電圧検出回路９ａからの出力信号がハイレベルとなるので制御部１２では上記と同様にインバータ回路５の駆動に対して例えば発振停止等の保護制御を行う。
【００５７】
そして、放電灯ＦＬが寿命末期等により保護制御に移行した後は、直流カット用コンデンサＣ２の両端電圧は下降しようとするが、フィラメント検出回路１１の直流電流経路である抵抗Ｒ１１，フィラメントｆ１、抵抗Ｒ１２、フィラメントｆ２を介して直流電源回路ＣＶの直流電圧が電圧検出回路９ａに印加されるため、コンパレータＣＭＰ２１の出力信号がハイレベルとなり、保護制御が維持される。
【００５８】
次にタイマ回路８の動作について説明する。交流電源ＶＳが放電灯点灯装置２ａに印加されると、インバータ回路５が動作し始めてからの経過時間がタイマ回路８によって計時される。そして、タイマ回路８によって、インバータ回路５が起動した後に生じる過渡電圧を回避するべく予め設定された所定時間以内では、電圧検出回路９ａの動作を無効、すなわち電圧検出回路９ａの出力信号がハイレベルであってもローレベルであっても制御部１２へはローレベルとして伝達され、インバータ回路５の駆動制御は正常動作で制御させる。またタイマ回路８によって、所定時間を経過後は、電圧検出回路９ａの出力信号をそのまま制御部１２へ伝達される。
【００５９】
この場合、放電灯点灯装置２ａが動作し始めたばかりの過渡時では、直流カット用コンデンサＣ２の電位もまだＥ／２という直流電圧で安定動作していない為、放電灯ＦＬが寿命末期でなくても電圧検出回路９ａが誤動作する可能性がある。そこで、タイマ回路８によって、放電灯点灯装置２ａ、特にインバータ回路５が定常的に安定動作し、直流カット用コンデンサＣ２の両端にも相応の直流電圧（Ｅ／２）が発生維持されるまでの間、電圧検出回路９ａの誤動作が防止される。
【００６０】
次に、フィラメント検出マスク手段であるトランジスタＱ３１の動作について説明する。放電灯ＦＬが寿命末期となりフィラメントｆ２の電子放射物質（エミッタ）が喪失した場合、放電灯ＦＬで半波整流作用が生じ、直流カット用コンデンサＣ２の直流電圧は（Ｅ／２）−αに下がり、極端には回路グランド電位よりも負電位になる場合がある。そうすると、そのままではフィラメント検出回路１１で、放電灯ＦＬの両方のフィラメントが共に正常に接続されているにも関わらず、コンデンサＣ１３に直流バイアス電流が充電されないのでトランジスタＱ１１がオンからオフへ変化し、トランジスタＱ１２はオンとなるため、コンパレータＣＭＰ１１のプラス端子は回路グランド電位となり、コンパレータＣＭＰ１１の出力信号はローレベルとなって、フィラメントの断線あるいは放電灯ＦＬの異常挿入状態を示すというという誤動作が発生してしまうことになる。
【００６１】
しかし、図３に示す放電灯点灯装置２ａでは、放電灯ＦＬが寿命末期状態となって直流カット用コンデンサＣ２の両端電圧が（Ｅ／２）−αに下がった時点で電圧検出回路９ａの出力信号がハイレベルになり、トランジスタＱ３１がオンし、トランジスタＱ１１のオン、オフ状態にかかわらずトランジスタＱ１２はオフ状態を維持するため、フィラメント検出回路１１では、放電灯ＦＬの寿命末期において、放電灯ＦＬの両方のフィラメントが共に正常に接続されているにも関わらず、コンパレータＣＭＰ１１の出力信号がローレベルとなって、フィラメントの断線あるいは放電灯ＦＬの異常挿入状態を示すというという誤動作が発生することが抑制される。そして、このような誤動作の発生を抑制することで、放電灯ＦＬやその周辺回路に過大な電圧ストレスが印加されることを回避することができる。
【００６２】
この場合、フィラメント検出回路１１における上記誤動作の発生を抑制するために、トランジスタＱ１１がオンからオフへ変化する前にトランジスタＱ３１をオンさせるべく、しきい値電圧Ｖｔｈ２１，Ｖｔｈ２２、および抵抗Ｒ１３，Ｒ１４の抵抗値等が設定されている。
【００６３】
なお、例えば、図４に示す放電灯点灯装置２ｂのように、インバータ回路５をトランジスタＱ１，Ｑ２の直列回路で構成し、トランジスタＱ１，Ｑ２のオン、オフを制御部１２によって制御する構成であっても良い。また、直流電源回路ＣＶの直流電圧出力端子と、インダクタＬ１とフィラメントｆ１との接続点との間に直流電流供給手段である抵抗Ｒ１１が接続される構成であっても良い。
【００６４】
さらに、フィラメント検出マスク手段を構成するトランジスタＱ３１のベース端子は、電圧検出回路９ａにおけるコンパレータＣＭＰ２２とダイオードＤ２２との接続点（ダイオードＤ２２のアノード側）に接続される構成としても良い。
【００６５】
この場合、トランジスタＱ３１は、Ｃ２検出電圧の負電位側の絶対値がしきい値電圧Ｖｔｈ２２以上の場合、フィラメント検出回路１１からの出力信号を強制的にハイレベルにすることで、制御部１２によるインバータ回路５からの電源電圧供給を制限する制御動作を禁止する。また、この構成によれば、コンパレータＣＭＰ２２の出力信号がハイレベルとなった場合、すなわちフィラメントｆ２がエミッタ不足に陥った場合にのみ、フィラメント検出回路１１の制御動作が禁止され、フィラメントｆ１がエミッタ不足になったとしてもフィラメント検出回路１１の制御動作は禁止されない。
【００６６】
図３，図４に示すフィラメント検出回路１１の構成においては、放電灯ＦＬの半波放電により誤動作を起こすのはフィラメントｆ２のエミッタが不足した場合のみでありフィラメントｆ１がエミッタ不足になった場合は、放電灯ＦＬの両方のフィラメントが共に正常に接続されているにも関わらずコンパレータＣＭＰ１１の出力信号がローレベルとなって、フィラメントの断線あるいは放電灯ＦＬの異常挿入状態を示すというという誤動作が発生することはない。従って、コンパレータＣＭＰ２２の出力信号がハイレベルとなった場合のみ、トランジスタＱ３１がオンしてフィラメント検出回路１１の制御動作を禁止する構成により、図３に示す放電灯点灯装置２ａと同様に放電灯ＦＬの寿命末期に放電灯ＦＬの両方のフィラメントが共に正常に接続されているにも関わらずコンパレータＣＭＰ１１の出力信号がローレベルとなって、フィラメントの断線あるいは放電灯ＦＬの異常挿入状態を示すというという誤動作の発生を抑制することができる。そして、このような誤動作の発生を抑制することで、放電灯ＦＬやその周辺回路に過大な電圧ストレスが印加されることを回避することができる。
【００６７】
また、例えば、図５に示す放電灯点灯装置２ｃのように、直流電源回路ＣＶの直流電圧出力端子と、フィラメントｆ２とコンデンサＣ１との接続点との間に直流電流供給手段である抵抗Ｒ１１が接続され、抵抗Ｒ１４は、フィラメントｆ１，ｆ２におけるインバータ回路５側の端子間に接続される構成であってもよい。さらに、フィラメント検出回路１１ａにおいて、抵抗Ｒ１３は、フィラメントｆ１とコンデンサＣ１との接続点に、ダイオードＤ１１を介して接続され、抵抗Ｒ１５は削除された構成としてもよい。
【００６８】
この構成によれば、直流電源回路ＣＶの高圧側端子から抵抗Ｒ１１、フィラメントｆ２、抵抗Ｒ１２、フィラメントｆ１、ダイオードＤ１１、抵抗Ｒ１３、及び抵抗Ｒ１４によって、直流電流経路が形成される構成となっている。
【００６９】
また、電圧検出回路９ｂにおいて、分圧抵抗Ｒ２１とダイオードＤ２３との間に抵抗Ｒ２３を介設し、抵抗Ｒ２１及びＲ２３の接続点をコンパレータＣＭＰ３１のプラス端子に接続し、コンパレータＣＭＰ３１のマイナス端子にしきい値電圧Ｖｔｈ２１を入力し、コンパレータＣＭＰ３１の出力信号をトランジスタＱ３１のベースに出力することによって、フィラメント検出マスク手段であるトランジスタＱ３１のオン、オフを制御する構成としてもよい。
【００７０】
この場合、トランジスタＱ３１は、図４に示すフィラメント検出回路１１とは逆にフィラメントｆ１がエミッタ不足に陥った場合にのみ、フィラメント検出回路１１ａの制御動作を無効にし、フィラメントｆ１がエミッタ不足になったとしてもフィラメント検出回路１１の制御動作は無効にされない。
【００７１】
しかし、図５に示す放電灯点灯装置２ｃにおいては、仮にトランジスタＱ３１によるフィラメント検出マスク手段がなかった場合には、図３、図４に示すフィラメント検出回路１１とは逆にフィラメント検出回路１１ａは、放電灯ＦＬの半波放電によって、放電灯ＦＬの両方のフィラメントが共に正常に接続されているにも関わらずコンパレータＣＭＰ１１の出力信号がローレベルとなってフィラメントの断線あるいは放電灯ＦＬの異常挿入状態を示すというという誤動作を起こすおそれがあるのはフィラメントｆ１のエミッタが不足した場合のみであり、フィラメントｆ２がエミッタ不足になった場合は、このような誤動作が発生するおそれはない。
【００７２】
従って、トランジスタＱ３１は、フィラメントｆ１がエミッタ不足に陥った場合にのみ、フィラメント検出回路１１ａの制御動作を無効にすることにより、放電灯ＦＬの両方のフィラメントが共に正常に接続されているにも関わらずコンパレータＣＭＰ１１の出力信号がローレベルとなって、フィラメントの断線あるいは放電灯ＦＬの異常挿入状態を示すというという誤動作の発生を抑制することができる。そして、このような誤動作の発生を抑制することで、放電灯ＦＬやその周辺回路に過大な電圧ストレスが印加されることを回避することができる。
【００７３】
また、コンパレータＣＭＰ３１のマイナス端子に印加されるしきい値電圧はコンパレータＣＭＰ２１と同じＶｔｈ２１である一方、抵抗Ｒ２３によって、コンパレータＣＭＰ２１のプラス端子に印加される電圧よりもコンパレータＣＭＰ３１のプラス端子に印加される電圧の分圧比が上昇する結果、直流カット用コンデンサＣ２の端子電圧に対するコンパレータＣＭＰ３１の検知電圧レベル（第３の基準電圧）は、直流カット用コンデンサＣ２の端子電圧に対するコンパレータＣＭＰ２１の検知電圧レベル（第２の基準電圧）以下にされている。この場合、いずれの検知電圧レベルも正の電圧である。これにより、コンデンサＣ２両端電圧が上昇してコンパレータＣＭＰ２１の出力信号がハイレベルになる前に、コンパレータＣＭＰ３１の出力信号がハイレベルとなる。
【００７４】
従って、放電灯点灯装置２ｃにおいては、コンパレータＣＭＰ３１を備え、かつ抵抗Ｒ２３を付加したことで、フィラメント検出へのマスク開始の方が同等あるいは優先され、電圧検出回路９ａが放電灯ＦＬを寿命末期と判断する前にフィラメント検出回路１１をマスクしてフィラメント検出の誤動作を抑制する信頼性を高めることができる。また、電圧検出回路９ａとは別に自由にトランジスタＱ３１をオンさせてフィラメント検出回路１１の制御動作を無効にする検出感度を設定することが可能となり、フィラメント検出回路の設計自由度（抵抗値及びコンデンサの容量値の選定）を高め、回路設計がより容易になる。
【００７５】
なお、抵抗Ｒ２３を備える代わりに、コンパレータＣＭＰ２１及びＣＭＰ３１のプラス端子には同じ検出信号を入力させ、マイナス端子に入力させるしきい値電圧に差を設けるようにしても良い。
【００７６】
例えば、コンパレータＣＭＰ３１のマイナス端子に入力するしきい値電圧をＶｔｈ３１とすれば、Ｖｔｈ２１＞Ｖｔｈ３１  となるように、しきい値電圧を設定してもよい。これにより、電圧検出回路９ａが検出動作する前にフィラメント検出マスク手段を優先させて動作させることで、フィラメント検出マスク手段としての信頼性を向上することができる。
【００７７】
（第３実施形態）
次に、本発明の第３の実施形態に係る放電灯点灯装置について説明する。図６は、本発明の第３の実施形態に係る放電灯点灯装置２ｄの構成の一例を示す回路図である。図６に示す放電灯点灯装置２ｄは、交流電源ＶＳの出力端子間に、電流ヒューズＦＵＳＥとサージアブソーバＺＮＲとが直列に接続され、サージアブソーバＺＮＲと並列にコンデンサＣ６１が接続され、コンデンサＣ６１の両端がラインフィルタＬＦ１を介して整流器ＤＢに接続されている。そして、電流ヒューズＦＵＳＥとサージアブソーバＺＮＲとによって、過電流及び過電圧保護がされ、コンデンサＣ６１及びラインフィルタＬＦ１により、雑音防止用のフィルタ回路が構成されている。
【００７８】
整流器ＤＢは、ダイオードＤ２〜Ｄ５により構成された整流器であり、交流電源ＶＳから出力された交流電源電圧を全波整流して直流電源回路ＣＶへ出力する。直流電源回路ＣＶにおいて、整流器ＤＢの出力端子間には高周波電流バイパス用のコンデンサＣ６２が接続されている。そして、コンデンサＣ６２の両端には、インダクタＬ４、例えばＭＯＳＦＥＴ等のスイッチング素子であるトランジスタＱ３、及びソース抵抗Ｒ６２の直列回路が接続され、トランジスタＱ３のドレイン、ソース端子間にはダイオードＤ６と、コンデンサＣ４の直列回路が接続されており、インダクタＬ４、トランジスタＱ３、ダイオードＤ６により直流電源回路ＣＶとしての昇圧チョッパ回路が構成される。
【００７９】
トランジスタＱ３は、制御部１２により抵抗Ｒ６を介して駆動制御される。コンデンサＣ４は平滑用コンデンサであり、例えばアルミ電解コンデンサが用いられる。昇圧チョッパ回路を動作するための昇圧チョッパ制御回路としては、インダクタＬ４の二次巻線と抵抗Ｒ６１の直列回路でインダクタＬ４に流れる電流のゼロクロス点を検出し、抵抗Ｒ６２はトランジスタＱ３に流れる電流を電圧値として検出し、抵抗Ｒ６３〜Ｒ６５の直列回路は昇圧チョッパ回路の出力電圧を検出するようになっており、これらの検出信号は制御部１２に入力される構成となっている。以上のような昇圧チョッパ回路及び昇圧チョッパ制御回路によってアクティブフィルタ構成とされている。
【００８０】
インバータ回路５は例えばＭＯＳＦＥＴ等のスイッチング素子であるトランジスタＱ１，Ｑ２の直列回路で構成され、制御部１２により、抵抗Ｒ７及びＲ８を介して交互にオン／オフ動作するよう駆動制御される。
【００８１】
直流カット用コンデンサＣ２、共振用インダクタＬ１、共振用コンデンサＣ１の直列回路がトランジスタＱ２の両端に接続される。またコンデンサＣ１両端には昇圧トランスＴ１の１次巻線が接続される。そして昇圧トランスＴ１の２次巻線両端には、コンデンサＣ６、放電灯ＦＬ、カレントトランスＴ２の直列回路が接続され、放電灯ＦＬの点灯負荷回路が構成される。放電灯ＦＬの始動はインダクタＬ１とコンデンサＣ１との共振動作によりコンデンサＣ１両端に高周波電圧が発生し、昇圧トランスＴ１により昇圧されて放電灯ＦＬ両端に印加される。また放電灯ＦＬが点灯するとインダクタＬ１とコンデンサＣ１の共振系に放電灯ＦＬを加えた点灯共振条件により放電灯ＦＬは点灯を維持する。
【００８２】
放電灯ＦＬは例えば蛍光灯であるが、蛍光灯の両端には熱電子放出用のフィラメントｆ１、ｆ２があり、放電灯ＦＬを始動点灯する際のフィラメント予熱回路として、昇圧トランスＴ１の二次巻線にそれぞれコンデンサＣ１１，Ｃ１２を介してフィラメントに電流を供給する電流ループを構成している。
【００８３】
カレントトランスＴ２は電圧検出回路９ｃを構成する部品であり、詳細は後述する。図６に示す制御部１２はインバータ回路５のトランジスタＱ１，Ｑ２の駆動制御の他に、直流電源回路ＣＶのトランジスタＱ３の駆動制御も行うものであり、制御部１２、電圧検出回路９ｃ、フィラメント検出回路１１等を動作させるための制御電源部１３としては、例えば直流電源回路ＣＶの出力電圧に基づき所定の定電圧Ｖｃｃを出力するものとして、例えば松下電器産業（株）製のインテリジェントパワーデバイス（略称ＩＰＤ）であるＭＩＰシリーズの集積回路ＩＣを用いることができる。
【００８４】
次に、フィラメント検出回路１１ｂの構成について説明する。図６に示すフィラメント検出回路１１ｂは、放電灯ＦＬのフィラメントｆ１、ｆ２の検出に対して各々個別の直流電流経路を備える点で、図５に示すフィラメント検出回路１１ａと異なる。具体的には、フィラメントｆ１に対する直流電流経路は、直流電源回路ＣＶの高圧出力側から抵抗Ｒ１１、フィラメントｆ１、抵抗Ｒ１２、ダイオードＤ１１、抵抗Ｒ１３、抵抗Ｒ１４で構成され、またフィラメントｆ２に対する直流電流経路は、直流電源回路ＣＶの高圧出力側から抵抗Ｒ１６、フィラメントｆ２、ダイオードＤ１２、抵抗Ｒ１９で構成されている。
【００８５】
フィラメント検出回路１１ｂは、図５に示すフィラメント検出回路１１ｂと同様に、ダイオードＤ１、抵抗Ｒ１３，Ｒ１４，Ｒ１６，Ｒ１７、コンデンサＣ１３、トランジスタＱ１１，Ｑ１２，Ｑ３１，及びコンパレータＣＭＰ１１からなるフィラメントｆ１の断線等を検出する回路を備えている。さらに、フィラメントｆ２の断線等を検出するための回路として、フィラメントｆ２に対する直流電流経路の一部である抵抗Ｒ１９と並列にコンデンサＣ１４が接続されている。また、抵抗Ｒ１８とトランジスタＱ１３との直列回路と、抵抗Ｒ１７とトランジスタＱ１４との直列回路とが、制御電源部１３のＶｃｃ出力端子とグラウンドとの間に接続され、ダイオードＤ１２とコンデンサＣ１４との接続点がトランジスタＱ１３のベースに接続され、トランジスタＱ１３のコレクタがトランジスタＱ１４のベースに接続されている。ダイオードＤ１２は、コンデンサＣ１４に充電された電荷の逆流防止用ダイオードである。そして、トランジスタＱ１４のコレクタが、トランジスタＱ１２のコレクタとワイヤードオアされてコンパレータＣＭＰ１１のプラス端子に接続され、コンパレータＣＭＰ１１のマイナス端子には、しきい値電圧Ｖｔｈ１１が印加され、コンパレータＣＭＰ１１の出力端子が制御部１２に接続されている。
【００８６】
さらに、フィラメント検出マスク手段であるトランジスタＱ３２が、トランジスタＱ１４のベースとグラウンドとの間に接続され、電圧検出回路９ａからの電圧検出信号が、ツェナーダイオードＺＤ３１を介してトランジスタＱ３１のベースに入力されている。
【００８７】
次に、上述のように構成されたフィラメント検出回路１１ｂの動作について説明する。まず、放電灯ＦＬが正常な状態で放電灯点灯装置２ｄに接続されている場合には、直流電流経路を流れる直流バイアス電流により、トランジスタＱ１１、Ｑ１３が共にオン状態となるため、トランジスタＱ１２、Ｑ１４は共にオフする。従って、コンパレータＣＭＰ１１のプラス端子には抵抗Ｒ１７を介して定電圧Ｖｃｃが入力されるためコンパレータＣＭＰ１１の出力信号はハイレベルとなる。
【００８８】
また放電灯ＦＬがフィラメント切れ、もしくは放電灯ＦＬが正常に放電灯点灯装置に接続されていない場合はトランジスタＱ１１、Ｑ１３のうち少なくとも１つがオフとなり、トランジスタＱ１２，Ｑ１４のうち少なくとも１つがオンするため、コンパレータＣＭＰ１１のプラス端子は回路グランド電位となり、コンパレータＣＭＰ１１の出力信号はローレベルとなる。
【００８９】
そして、制御部１２は、フィラメント検出回路１１ｂの出力信号がハイレベルの場合には直流電源回路ＣＶ及びインバータ回路５を正常に駆動制御維持し、逆にローレベルの場合はすべてのスイッチング素子（トランジスタＱ１〜Ｑ３）の駆動を停止するように制御する等の保護制御を行うものであり、この基本的動作シーケンスは図３〜図５に示す制御部１２と同様である。
【００９０】
次に電圧検出回路９ｃの構成について説明する。まず、昇圧トランスＴ１の二次巻線とフィラメントｆ２との間にカレントトランスＴ２の一次巻き線が介設されている。そして、カレントトランスＴ２の二次巻き線の一端がグラウンドに接続され、他端が抵抗Ｒ２１とコンデンサＣ２１との直列回路を介してグラウンドに接続されている。そして、抵抗Ｒ２１とコンデンサＣ２１との接続点が、ツェナーダイオードＺＤ２１のアノード及びダイオードＤ２１のアノードに接続されると共に、抵抗Ｒ３１を介してフィラメント検出回路１１ｂにおけるツェナーダイオードＺＤ３１のカソードに接続されている。
【００９１】
また、ツェナーダイオードＺＤ２１のカソードは、抵抗Ｒ２３とコンデンサＣ２３の並列回路と、トランジスタＱ２１のベースとに接続され、抵抗Ｒ２３とコンデンサＣ２３の並列回路の他端およびトランジスタＱ２１のエミッタは、制御電源部１３のＶｃｃ出力端子に接続されている。そして、トランジスタＱ２１のコレクタは、抵抗Ｒ２４、Ｒ３２を介してフィラメント検出回路１１ｂにおけるトランジスタＱ３１に接続されている。さらに、抵抗Ｒ２４と抵抗Ｒ３２との接続点が、ダイオードＤ２２のアノードに接続され、ダイオードＤ２１，Ｄ２２のカソード同士がワイヤードオアされて抵抗Ｒ２２とコンデンサＣ２２との並列回路を介してグラウンドに接続されると共にコンパレータＣＭＰ２１のプラス端子に接続され、コンパレータＣＭＰ２１のマイナス端子にはしきい値電圧Ｖｔｈ２１が入力され、コンパレータＣＭＰ２１の出力端子はタイマ回路８に接続されている。
【００９２】
次に、上述のように構成された電圧検出回路９ｃの動作について説明する。まず、放電灯ＦＬが正常状態の場合、そのランプ電流は正負対称の高周波電流であるために、カレントトランスＴ２の二次側に発生する電圧も直流成分を持たない正負対称な高周波電圧となる。従って、コンデンサＣ２１両端電圧にも直流成分はないためコンパレータＣＭＰ２１の出力信号はローレベルとなる。
【００９３】
次に、放電灯ＦＬが寿命末期状態でフィラメントｆ１及びｆ２のうちいずれかがエミッタ不足となった場合、放電灯ＦＬは半波放電となるので、放電灯ＦＬを流れるランプ電流は正負非対称となる。従ってカレントトランスＴ２の二次側に発生する電圧も正側、あるいは負側に直流成分を持った正負非対称な高周波電圧となる。なお、直流成分の電圧が正側に発生するのか、負側に発生するのかはフィラメントｆ１，ｆ２のどちらがエミッタ不足になるかで決定される。
【００９４】
そして、カレントトランスＴ２の二次側に正のＤＣ成分を含んだ電圧が発生した場合、抵抗Ｒ２１と抵抗Ｒ２２にて分圧された電圧が上昇してしきい値電圧Ｖｔｈ２１を超えるとコンパレータＣＭＰ２１出力が反転してハイレベルとなり、制御部１２は直流電源回路ＣＶ及びインバータ回路５に対して出力抑制あるいは発振停止等の保護動作を行う。なお、この場合の保護動作とは、保護動作とは実質的に放電灯ＦＬを消灯させる動作で、発振停止、微弱発振継続など、その方法は問わない。
【００９５】
また逆にカレントトランスＴ２の二次側に負のＤＣ成分を含んだ電圧が発生した場合、抵抗Ｒ２１とＲ２２にて分圧された電圧も回路グランド電位に対して負の電圧となり、この電圧がツェナーダイオードＺＤ２１のツェナー電圧とトランジスタＱ２１のベース−エミッタ間電圧Ｖｂｅを加算した電圧以上となると、トランジスタＱ２１がオンして抵抗Ｒ２４、ダイオードＤ２２を介してコンパレータＣＭＰ２１のプラス端子にハイレベルの電圧が印加され、コンパレータＣＭＰ２１の出力がハイレベルに反転して制御部１２は保護動作へ移行する。
【００９６】
また、制御部１２は、カレントトランスＴ２のようなカレントトランスを用いて電圧検出回路９ｃを構成した場合には、保護動作へ移行した後でフィラメント検出回路１１ｂの直流電流経路を利用しての検出出力の維持が困難となるため、制御部１２にて保護動作のラッチ機能を備えている。
【００９７】
その他の構成、動作は図５に示す放電灯点灯装置２ｃと同様であるのでその説明を省略する。
【００９８】
以上のように、図６に示すフィラメント検出回路１１ｂは、フィラメントｆ１，ｆ２に対して各々個別の直流電流経路を備えるので、フィラメントｆ１，ｆ２のいずれのフィラメントが断線等した場合であっても異常を検出して制御部１２に保護動作をさせることができると共に、個別の直流電流経路それぞれについて、個別のフィラメント検出マスク手段であるトランジスタＱ３１及びＱ３２とを備えたので、フィラメントｆ１，ｆ２のいずれのフィラメントでエミッタを喪失して半波放電作用が生じた場合であっても、放電灯ＦＬの両方のフィラメントが共に正常に接続されているにも関わらずコンパレータＣＭＰ１１の出力信号がローレベルとなって、フィラメントの断線等を示すというという誤動作の発生を抑制することができる。
【００９９】
具体的には、フィラメントｆ１がエミッタ不足の寿命末期時にフィラメントの断線等を示すというという誤動作の発生を抑制するために、トランジスタＱ１２のＢＥ間にトランジスタＱ３１を接続し、トランジスタＱ３１のベース端子は、抵抗Ｒ３２を介してＤ２２のアノード側に接続した構成のフィラメント検出マスク手段とした。一方、フィラメントｆ２がエミッタ不足の寿命末期時にフィラメントの断線等を示すというという誤動作の発生を抑制するために、トランジスタＱ１４のＢＥ間にトランジスタＱ３２を接続し、トランジスタＱ３２のベース端子には、ツェナーダイオードＺＤ３１、抵抗Ｒ３１を介してＤ２１のアノード側に接続した構成のフィラメント検出マスク手段とした。なお、ツェナーダイオードＺＤ３１はマスク手段としての感度をツェナー電圧によって、自由に設定できるようにしたものである。
【０１００】
また、フィラメント検出回路１１ｂにおいて、フィラメントｆ１，ｆ２に対して各々個別の直流電流経路を構成し、フィラメント検出マスク手段もＤ２１及びＤ２２のアノード側から個別にマスク信号を得るようにしているが、フィラメント検出マスク手段のマスク信号は、コンパレータＣＭＰ２１の出力端子から一括して得るようにしてもよい。
【０１０１】
（第４実施形態）
次に、本発明の第４の実施形態に係る放電灯点灯装置２ｅについて説明する。図７は、本発明の第４の実施形態に係る放電灯点灯装置２ｅの構成の一例を示す回路図である。図７に示す放電灯点灯装置２ｅと図６に示す放電灯点灯装置２ｄとでは、下記の点で異なる。すなわち、図７に示す放電灯点灯装置２ｅでは、昇圧トランスＴ１を備えない。また直流カット用コンデンサＣ２はインダクタＬ１とコンデンサＣ１との接続点とフィラメントｆ１の一方の端子との間に介設されている。これにより、共振回路の構成は、図２に示す放電灯点灯装置２と同様にされている。
【０１０２】
また、トランジスタＱ２の両端間に、コンデンサＣ７とインダクタＬ５の直列回路を接続し、インダクタＬ５の二次巻線からコンデンサＣ１１、Ｃ１２をそれぞれ介してフィラメントｆ１、ｆ２を加熱するための予熱電流を供給する構成とされている。フィラメント検出回路１１ｃは、図６に示すフィラメント検出回路１１ｂとは、フィラメントｆ１の直流電流経路における抵抗Ｒ１１とフィラメントｆ１との接続位置をフィラメントｆ１の電源側端子である接続点ａ１に変更し、抵抗Ｒ１２とフィラメントｆ１との接続位置をフィラメントｆ１の非電源側端子である接続点ａ２に変更した。また、抵抗Ｒ２とフィラメントｆ２との接続位置、及びダイオードＤ１２とフィラメントｆ２との接続位置を、フィラメントｆ２の非電源側端子である接続点ｂ２側に変更した。
【０１０３】
これにより、図７に示す放電灯点灯装置２ｅでは放電灯ＦＬのフィラメントｆ２側が回路グランドに接続される構成となり、フィラメントｆ２が正常である場合には直流電流経路に直流電流が流れず、逆にフィラメントｆ２が断線あるいは未接続の場合にフィラメント検出回路１１ｃに直流電流が流れるようにした。また、フィラメントｆ２の抵抗値Ｒf2と抵抗Ｒ１６の抵抗値Ｒ16及び抵抗Ｒ１９の抵抗値Ｒ19との大小関係をＲf2＜＜Ｒ16、
Ｒf2＜＜Ｒ19、とすることで、フィラメントｆ２が正常に接続されている場合は抵抗Ｒ１６とフィラメントｆ２との分圧比でコンデンサＣ１４両端電圧は限りなくゼロ、逆にフィラメントｆ２が断線あるいは接続不良の場合は抵抗Ｒ１６と抵抗Ｒ１９との分圧比でコンデンサＣ１４両端に直流電圧が発生し、フィラメントｆ２の断線等が検出されるようになっている。
【０１０４】
電圧検出回路９ｄは、図６に示す電圧検出回路９ｃとは、カレントトランスＴ２を削除し、代わりに抵抗Ｒ２５、Ｒ２６の直列回路を直流カット用コンデンサＣ２とフィラメントｆ１との接続点ａ１と抵抗Ｒ２１との間に接続した点で異なる。この構成では、放電灯ＦＬが正常点灯の場合には電圧検出回路９ｄのコンデンサＣ２１両端には直流電圧が発生しないが、フィラメントｆ１あるいはｆ２どちらかがエミッタ不足となった寿命末期の場合では放電灯ＦＬの半波放電による整流作用により、直流カット用コンデンサＣ２に電荷が充電蓄積されて、コンデンサＣ２１に正あるいは負の直流電圧が発生し、フィラメントｆ１及びｆ２の寿命末期が検出されるようになっている。
【０１０５】
また、フィラメント検出マスク手段については、図６に示す電圧検出回路９ｃにおける抵抗Ｒ３２とフィラメント検出回路１１ｂにおけるツェナーダイオードＺＤ３１を削除し、代わりにトランジスタＱ３２のベース端子はトランジスタＱ３１と同じくダイオードＤ２２のアノードに接続されている。これにより、例えばフィラメントｆ１がエミッタ不足の場合に半波放電状態となることにより、接続点ｂ２に正の直流電圧成分が発生した場合に、誤ってフィラメントｆ１の断線等を検出してしまう誤動作が抑制される。
【０１０６】
また、図３、図４、図５、図６に示すフィラメント検出回路１１，１１ａ，１１ｂにおいては、放電灯ＦＬが点灯する前の状態ではフィラメント断線を検出することができるものの、放電灯ＦＬが点灯してしまうと放電灯ＦＬが導通して直接フィラメントｆ１，ｆ２間を結ぶ直流電流経路ができるため、フィラメントｆ１，ｆ２が断線しても放電灯ＦＬを直流電流が流れ、フィラメント検出回路１１，１１ａ，１１ｂでは放電灯ＦＬを流れた直流電流を検出する結果、フィラメントｆ１，ｆ２の断線を検出することができず、従って制御部１２に保護動作をさせることができない。
【０１０７】
しかし、図７に示す放電灯点灯装置２ｅでは、以下のように、放電灯ＦＬが点灯した後でフィラメント断線した場合でもフィラメント断線を検出して制御部１２に保護動作をさせることができる。
【０１０８】
まず、放電灯ＦＬが点灯中に接続点ａ１で接続不良が生じた場合、フィラメント検出回路１１ｃにおける直流電源高圧側からトランジスタＱ１１ベースへの直流電流供給経路は断たれるものの、高周波のランプ電圧（放電灯ＦＬ両端電圧）によって接続点ａ２から抵抗Ｒ１２、ダイオードＤ１１を介して交流の電流が供給されるためトランジスタＱ１１のベース電圧は下がらずフィラメント検出回路１１ｃでは接続点ａ１の接続不良を検出することができない。
【０１０９】
しかしながら電圧検出回路９ｃでは抵抗Ｒ２５及びＲ２６の抵抗値を放電灯ＦＬの点灯インピーダンスに対して十分大きい値に設定しておくことで、接続点ａ１が接続不良となった場合は直流電源回路ＣＶからの直流電源電圧を抵抗Ｒ１１、Ｒ２５，Ｒ２６，Ｒ２１，Ｒ２２で分圧した抵抗Ｒ２２の両端電圧がコンパレータＣＭＰ２１のプラス端子に印加され、コンパレータＣＭＰ２１の出力信号がハイレベルに反転するので、制御部１２に保護動作をさせることができる。
【０１１０】
また、放電灯ＦＬが点灯中に接続点ａ２が接続不良となった場合、接続点ａ１側は放電灯ＦＬの点灯インピーダンスを介して回路グランドへの直流電流経路が残るため、抵抗Ｒ１１の抵抗値を放電灯ＦＬの点灯インピーダンスに対して十分大きい値に設定しておくことで、接続点ａ１の直流電位はほぼゼロとなり、電圧検出回路９ｄでは検出できない。
【０１１１】
一方、まず、接続点ａ２が正常に接続されているときは、コンデンサＣ１１のインダクタＬ５側には、直流電源回路ＣＶからの直流電源電圧が抵抗Ｒ１１、接続点ａ１、接続点ａ２、及びインダクタＬ５を介して印加されると共に、放電灯ＦＬに印加されるランプ電圧が接続点ａ２からインダクタＬ５を介して印加され、コンデンサＣ１１のインダクタＬ５側は、直流電源電圧又はランプ電圧のうちいずれか正電圧の高い方の電圧まで充電される。
【０１１２】
次に、接続点ａ２が接続不良になると、直流電源回路ＣＶからの直流電源電圧によって、抵抗Ｒ１１を介してコンデンサＣ１１が充電される。このとき、コンデンサＣ１１の抵抗Ｒ１１側電圧が、インダクタＬ５側電圧より高くなると、コンデンサＣ１１からインダクタＬ５、抵抗Ｒ１２、ダイオードＤ１１、及び抵抗Ｒ１３を介してトランジスタＱ１１のベースへ流れる電流が流れなくなる結果、トランジスタＱ１１がオフ、トランジスタＱ１２がオンし、コンパレータＣＭＰ１１の信号出力がローレベルに反転してフィラメント接続不良と判断し、制御部１２によって保護動作が行われる。
【０１１３】
また、接続点ｂ１及びｂ２のいずれかで接続不良が生じた場合、放電灯ＦＬの低圧側フィラメントｆ２は直流的に回路グランドに接続されており、接続点ｂ１、ｂ２いずれの接続不良が発生した場合でも、放電灯ＦＬの状態に関わらずトランジスタＱ１３のベース電圧は上昇しトランジスタＱ１３がオンするためコンパレータＣＭＰ１１の出力信号がローレベルに反転してフィラメント接続不良と判断し、制御部１２によって保護動作が行われる。
【０１１４】
その他の構成、動作は図６に示す放電灯点灯装置２ｄと同様であるのでその説明を省略する。
【０１１５】
以上、フィラメントｆ２の一端は、グラウンドに接続され、直流カット用コンデンサＣ２は、放電灯ＦＬにおけるフィラメントｆ１とインバータ回路５との間に介設されており、フィラメントを検出するための直流電流経路は、フィラメントｆ１を介してインバータ回路５から抵抗Ｒ１１、フィラメントｆ１、抵抗Ｒ１２、ダイオードＤ１１、抵抗Ｒ１３，Ｒ１４により構成されている図７に示す放電灯点灯装置２ｅにおいて、フィラメントｆ１の接続点ａ１側、ａ２側、フィラメントｆ２の接続点ｂ１側、ｂ２側全ての接続不良に対して、放電灯ＦＬの点灯の有無に関わらず、フィラメントの断線、接続不良等を検出して制御部１２による保護動作を行わせることができる。
【０１１６】
また、図３，図４，図５，図６に示す電圧検出回路９ａ，９ｂ，９ｃは、放電灯ＦＬの寿命末期状態を検出する手段であるが、その原理は放電灯ＦＬの半波放電による整流作用によって発生する直流電圧成分を検出するものである。放電灯の半波放電は放電灯ＦＬの両端に設けられたフィラメントのうちの片方のみがエミッタ不足に陥った場合の現象であり、仮に両方のフィラメントで同時にエミッタが不足した場合においては放電灯ＦＬの放電インピーダンスが上昇するものの半波放電にはならず、結果として電圧検出回路９ａ，９ｂ，９ｃでは検出ができない。
【０１１７】
しかし、図７に示す電圧検出回路９ｄでは、フィラメント検出回路１１ｃにおける直流電流経路である抵抗Ｒ１２、ダイオードＤ１１、抵抗Ｒ１３，Ｒ１４の直列回路が放電灯ＦＬと並列に接続され、この直流電流経路には整流手段であるダイオードＤ１１が含まれるので、この直列回路によって放電灯ＦＬの両端電圧が半波整流されるため、放電灯ＦＬの半波放電による整流作用が得られなくても抵抗Ｒ１２、ダイオードＤ１１、抵抗Ｒ１３，Ｒ１４の直列回路による整流作用によって発生する直流電圧成分を検出することにより、放電灯ＦＬの両方のフィラメントｆ１，ｆ２が同時にエミッタ不足になるという寿命末期状態であっても電圧検出回路９ｄによって寿命末期を検出し、制御部１２による保護動作を行わせることができる。
【０１１８】
（第５実施形態）
次に、本発明の第５の実施形態に係る放電灯点灯装置２ｆについて説明する。図８は、本発明の第５の実施形態に係る放電灯点灯装置２ｆの構成の一例を示す回路図である。図８に示す放電灯点灯装置２ｆと図７に示す放電灯点灯装置２ｅとでは、下記の点で異なる。すなわち、図８に示す放電灯点灯装置２ｆでは、コンデンサＣ１の両端にコンデンサＣ５と昇圧トランスＴ１の１次巻線ｎ１との直列回路が接続される。そして１次巻線ｎ１の両端には、直流カット用コンデンサＣ２、放電灯ＦＬ、及び昇圧トランスＴ１の２次巻線ｎ２の直列回路が接続される。これにより、放電灯ＦＬの始動時は、インダクタＬ１とコンデンサＣ１との共振動作によりコンデンサＣ１両端に高周波電圧が発生し、昇圧トランスＴ１により昇圧されて放電灯ＦＬ両端に印加される。また放電灯ＦＬが点灯すると、上記インダクタＬ１とコンデンサＣ１の共振系に、コンデンサＣ５、放電灯ＦＬを加えた点灯共振条件により放電灯ＦＬは点灯を維持する。
【０１１９】
なお、昇圧トランスＴ１はオートトランス構成であり、１次巻線ｎ１に流れる電流と２次巻線ｎ２に流れる電流は逆位相となり、結果として昇圧トランスＴ１の１次側電流がほぼ相殺される構成であり、昇圧トランスＴ１の温度上昇を軽減することができる。さらに放電灯ＦＬのフィラメントｆ２は昇圧トランスＴ１の２次巻線ｎ２を介して回路グランドに接続されている為、放電灯ＦＬにおけるフィラメントｆ２の一端は直流的には回路グランドに接続されている。
【０１２０】
また、フィラメント検出回路１１ｄは、低圧側フィラメントであるフィラメントｆ２の検出回路において、逆流防止用ダイオードＤ１２の代わりに抵抗Ｒ２０を備えた。またトランジスタＱ１３のベース−エミッタ間に接続されていたトランジスタＱ３２を備えない。この場合、ダイオードＤ１２の代わりに抵抗Ｒ２０を用いた方がトランジスタＱ１３のベース−エミッタ間に発生する電圧を軽減することができるので、フィラメントｆ２断線時にトランジスタＱ１３をオンさせ、かつ放電灯ＦＬが寿命末期でもトランジスタＱ１３がオンしないように抵抗Ｒ１６，Ｒ２０，Ｒ１９の抵抗値を適宜設定することにより、本来回路グランド電位であることが正常な接続点ｂ２において放電灯ＦＬの寿命末期時の半波放電により正の電圧が発生してトランジスタＱ１３がオンしてしまうことを抑制することができる。
【０１２１】
また、放電灯点灯装置２ｆは、外部からの調光信号を受信してそれを制御部１２に伝達し、制御部１２にて直流電源回路ＣＶやインバータ回路５の駆動制御を適宜制御することで放電灯ＦＬの調光を行う調光部１４をさらに備える。
【０１２２】
そして、制御部１２は、フィラメント検出回路１１ｄによって例えば負荷断線又は放電灯接続異常等によりフィラメントを検出するための直流電流が無い状態が検出され、フィラメント検出回路１１ｄからの出力信号がハイレベルからローレベルへと変化した場合、電圧検出回路９ｄからの出力信号に基づく保護動作をリセットし、保護動作を停止する。そして、例えばユーザが放電灯ＦＬを交換することによって、負荷断線又は放電灯接続異常等が解消して負荷状態が正常になると、フィラメント検出回路１１ｄからの出力信号がローレベルからハイレベルへと変化し、制御部１２はすでに電圧検出回路９ｄからの出力信号に基づく保護動作はリセットしているので、制御部１２は、放電灯点灯装置２ｆを起動させるべく交流電源ＶＳが供給された場合と同様の動作シーケンスでタイマ回路８、直流電源回路ＣＶ、及びインバータ回路５の動作を制御して放電灯ＦＬを点灯させる。
【０１２３】
これにより、例えば点灯させていた放電灯ＦＬが寿命となり、放電灯点灯装置では電圧検出回路９ｃによって保護制御に移行した状態において、ユーザは、放電灯ＦＬを交換した際に、交流電源ＶＳによる電源リセットを行うことなく、交換後の放電灯ＦＬを点灯させることができ、ユーザーによる放電灯ＦＬ交換作業の手間を軽減することができる。
【０１２４】
また、図２〜図８に示す電圧検出回路９，９ａ，９ｂ，９ｃ，９ｄ、及びフィラメント検出回路１１，１１ａ，１１ｂ，１１ｃ，１１ｄの入力インピーダンスとなる抵抗、例えば抵抗Ｒ２〜Ｒ５、Ｒ１３〜Ｒ１５、Ｒ１９，Ｒ２１，Ｒ２２等は、点灯時における放電灯ＦＬのインピーダンスより大きい高抵抗にされていることが望ましい。これにより、電圧検出回路９，９ａ，９ｂ，９ｃ，９ｄ、及びフィラメント検出回路１１，１１ａ，１１ｂ，１１ｃ，１１ｄにおける電力損失を軽減し、回路効率が向上される。
【図面の簡単な説明】
【０１２５】
【図１】本発明の一実施形態に係る照明装置の外観の一例を示す斜視図である。
【図２】本発明の第１の実施形態に係る放電灯点灯装置の構成の一例を示す回路図である。
【図３】本発明の第２の実施形態に係る放電灯点灯装置の構成の一例を示す回路図である。
【図４】図３に示す放電灯点灯装置の変形例を示す回路図である。
【図５】図３に示す放電灯点灯装置の変形例を示す回路図である。
【図６】本発明の第３の実施形態に係る放電灯点灯装置の構成の一例を示す回路図である。
【図７】本発明の第４の実施形態に係る放電灯点灯装置の構成の一例を示す回路図である。
【図８】本発明の第５の実施形態に係る放電灯点灯装置の構成の一例を示す回路図である。
【図９】背景技術に係る放電灯点灯装置の構成を示す回路図である。
【図１０】背景技術に係る放電灯点灯装置の構成を示す回路図である。
【符号の説明】
【０１２６】
１    照明装置
２，２ａ，２ｂ，２ｃ，２ｄ，２ｅ，２ｆ  放電灯点灯装置
３    筐体
４    ソケット
５    インバータ回路
６    ドライブ回路
７    半波整流回路
８    タイマ回路
９，９ａ，９ｂ，９ｃ，９ｄ  電圧検出回路
１０  発振停止回路
１１，１１ａ，１１ｂ，１１ｃ フィラメント検出回路
１２  制御部
１３  制御電源部
１４  調光部
Ｃ１，Ｃ３〜Ｃ７，Ｃ１１〜１４，Ｃ２１〜Ｃ２３，Ｃ６１，Ｃ６２  コンデンサ
Ｃ２  直流カット用コンデンサ
ＣＭＰ１１，ＣＭＰ２１，ＣＭＰ２２，ＣＭＰ３１  コンパレータ
ＣＶ  直流電源回路
Ｄ１，Ｄ２，Ｄ６，Ｄ１１，Ｄ１２，Ｄ２１〜Ｄ２３  ダイオード
ＤＢ  整流器
ｆ１，ｆ２  フィラメント
ＦＬ  放電灯
Ｌ１，Ｌ４，Ｌ５  インダクタ
Ｌ２，Ｌ３  フィラメント予熱巻線
ＬＦ１      ラインフィルタ
ｎ１  １次巻線
ｎ２  ２次巻線
Ｑ１，Ｑ２，Ｑ３，Ｑ１１〜Ｑ１４，Ｑ２１，Ｑ３１，Ｑ３２  トランジスタ
Ｒ１〜Ｒ７，Ｒ１１〜Ｒ２５，Ｒ３１，Ｒ３２，Ｒ６１〜Ｒ６３  抵抗
Ｔ１  昇圧トランス
Ｔ２  カレントトランス
ＺＤ２１，ＺＤ３１  ツェナーダイオード
【図１】
2006032167.tif 000003
【図２】
2006032167.tif 000004
【図３】
2006032167.tif 000005
【図４】
2006032167.tif 000006
【図５】
2006032167.tif 000007
【図６】
2006032167.tif 000008
【図７】
2006032167.tif 000009
【図８】
2006032167.tif 000010
【図９】
2006032167.tif 000011
【図１０】
2006032167.tif 000012